(57)【要約】【課題】耐久性を有し、且つ製造コストも低減できながら、搬送される原稿のすくい上げの作用が確実にできるようにした原稿読取装置を提供する。【解決手段】一対の原稿ガイド体３４には、原稿搬送経路２１の搬送方向に沿って規制手段２３の近傍まで延びる縁案内部材３７が取付られ、各縁案内部材３７には、規制手段２３と読取ガラス板４における通過画像読取位置４ａの表面との間を通過し、且つすくいガイド部材１１の表面上に対して少なくとも先端部が重複するようにすくい上げ部材３９が連設されている。【選択図】図４
2007223687.tif 000002
【特許請求の範囲】
【請求項１】
給紙トレイから原稿を 1枚ずつ分離して搬送する原稿搬送手段と、原稿の画像を読取ガラス板が備えられた読取位置で読み取る読取手段と、前記給紙トレイから前記読取位置を経て排紙トレイまで原稿を搬送する原稿搬送経路とを有する原稿読取装置において、
前記読取ガラス板の表面には前記読取位置より搬送方向下流直後にすくいガイド部材が固定され、
搬送される原稿を前記読取ガラス板の表面に沿わせるための規制手段が、前記読取位置に配置され、
前記給紙トレイには、前記原稿の幅方向の側縁を案内する左右一対の原稿ガイド体が広狭動可能に配置され、
前記一対の原稿ガイド体には、前記原稿搬送経路の搬送方向に沿って前記規制手段の近傍まで延びる縁案内部材が取付られ、
前記各縁案内部材には、前記規制手段と前記読取ガラス板の表面との間を通過し、且つ前記すくいガイド部材の表面上に対して少なくとも先端部が重複するようにすくい上げ部材が連設されていることを特徴とする原稿読取装置。
【請求項２】
前記すくい上げ部材は、板厚さの薄い可撓性を有する金属部材にて形成されていることを特徴とする請求項１に記載の原稿読取装置。
【請求項３】
前記すくいガイド部材の前記搬送方向の上流側端縁は、前記一対のすくい上げ部材が位置する側では前記搬送方向の上流側に位置し、前記原稿の幅方向の中央寄りに行くに従って、前記搬送方向の下流側に位置するように、前記搬送方向と傾斜状にて交差するように形成されていることを特徴とする請求項１または２に記載の原稿読取装置。
【請求項４】
前記各縁案内部材は、前記搬送される原稿の幅方向の側縁部分を表裏両側を案内するように断面コ字状に形成され、且つ前記原稿搬送経路に沿って湾曲可能に形成されていることを特徴とする請求項１ないし３のいずれかに記載の原稿読取装置。
【請求項５】
前記規制手段には、前記読取ガラス板の表面との間をすくい上げ部材が通過し得る隙間を形成するための規制突起が前記搬送される原稿の最大幅より外側の位置に設けられていることを特徴とする請求項１ないし４のいずれかに記載の原稿読取装置。
【発明の詳細な説明】
【技術分野】
【０００１】
本発明は、画像が記載された原稿を搬送しながら、その画像を読み取る手段を有する原稿読取装置に係り、より詳しくは給紙トレイに複数枚堆積させた原稿を１枚ずつ分離すると共に分離された原稿を搬送しながら画像を読取る自動原稿搬送装置付きの原稿読取装置の構成に関するものである。
【背景技術】
【０００２】
従来から、上記の自動原稿搬送装置付きの原稿読取装置では、特許文献１等に開示されているように、透明な大判のガラス板と端部ガラス板との間にすくいガイド部材を配置している。原稿を静置して画像を読取るための大判のガラス板と、搬送原稿が通過する端部ガラス板との下面にわたって移動可能なライン型ＣＣＤ撮像素子などからなる読取装置を備える一方、大判のガラス板と端部ガラス板との表面側を覆う蓋状のカバー体の一端部寄りには、カバー体の上面側に、給紙トレイ部と排紙トレイ部と、その間を側面視でＵターン状に形成した原稿搬送経路と、原稿搬送経路中に設けられた原稿搬送ローラ等とを備えている。
【０００３】
そして、特許文献１では、原稿は、自動原稿搬送装置における上方に設けられた給紙部からＵ字状の搬送経路に沿って、下方の端部ガラス板上に搬送され、この端部ガラス板の下面側で停止している読取装置にて、原稿の画像が読み取られる。原稿の前端縁部は上記すくいガイド部材にてすくい上げられて、排紙トレイ方向へと搬送されるものである。
【０００４】
上述のように、大判のガラス板と端部ガラス板との間にすくいガイド部材を配置していると、細長い端部ガラス板やすくいガイド部材の部分の強度が弱くなるという問題があった。この問題を解消するため、特許文献２では、大判のガラス板（コンタクトガラス）の上面であって、読取部の搬送方向直後に、流動体または接着剤を塗布または接着して硬化させたすくいあげ部材を配置し、該すくいあげ部材の後方にすくいガイド部材を連設するという技術を提案している。
【特許文献１】特開平０４−２９９８６７公報（図２、図３等参照）
【特許文献２】特開平０６−６２１７１公報（図１〜図４等参照）
【発明の開示】
【発明が解決しようとする課題】
【０００５】
しかしながら、特許文献２のように構成した場合、ガラス板の強度を弱化させないという効果はあるけれども、流動体または接着剤を塗布または接着して硬化させることにより、すくいあげ部材をその側断面が山形状に正確に形成することが困難であり、すくいあげ部材の成形の手間がかかって製造コスト高となる。さらに、搬送方向の上流側でのすくいあげ部材の先端部がガラス板の表面に対して薄く且つ微小な傾斜角度で立ち上がるように形成すると、その薄い先端部がガラス板の表面に対して強固に接着できないので、長期間の使用中に搬送される原稿の先端縁がすくいあげ部材の先端部に繰り返し衝突することで、当該すくいあげ部材がガラス板から剥がれてしまい、耐久性に乏しいという問題があった。
【０００６】
本発明は、このような課題を解消し、耐久性且つ強度を有し、且つ製造コストも低減できながら、搬送される原稿のすくい上げの作用が確実にできるようにした原稿読取装置を提供することを課題とするものである。
【課題を解決するための手段】
【０００７】
前記課題を解決するために、請求項１に記載の発明における原稿読取装置は、給紙トレイから原稿を 1枚ずつ分離して搬送する原稿搬送手段と、原稿の画像を読取ガラス板が備えられた読取位置で読み取る読取手段と、前記給紙トレイから前記読取位置を経て排紙トレイまで原稿を搬送する原稿搬送経路とを有する画像読取装置において、前記読取ガラス板の表面には前記読取位置より搬送方向下流直後にすくいガイド部材が固定され、搬送される原稿を前記読取ガラス板の表面に沿わせるための規制手段が、前記読取位置に配置され、前記給紙トレイには、前記原稿の幅方向の側縁を案内する左右一対の原稿ガイド体が広狭動可能に配置され、前記一対の原稿ガイド体には、前記原稿搬送経路の搬送方向に沿って前記規制手段の近傍まで延びる縁案内部材が取付られ、前記各縁案内部材には、前記規制手段と前記読取ガラス板の表面との間を通過し、且つ前記すくいガイド部材の表面上に対して少なくとも先端部が重複するようにすくい上げ部材が連設されているものである。
【０００８】
請求項２に記載の発明は、請求項１に記載の原稿読取装置において、前記すくい上げ部材は、板厚さの薄い可撓性を有する金属部材にて形成されているものである。
【０００９】
請求項３に記載の発明は、請求項１または２に記載の原稿読取装置において、前記すくいガイド部材の前記搬送方向の上流側端縁は、前記一対のすくい上げ部材が位置する側では前記搬送方向の上流側に位置し、前記原稿の幅方向の中央寄りに行くに従って、前記搬送方向の下流側に位置するように、前記搬送方向と傾斜状にて交差するように形成されているものである。
【００１０】
請求項４に記載の発明は、請求項１ないし３のいずれかに記載の原稿読取装置において、前記各縁案内部材は、前記搬送される原稿の幅方向の側縁部分を表裏両側を案内するように断面コ字状に形成され、且つ前記原稿搬送経路に沿って湾曲可能に形成されているものである。
【００１１】
請求項５に記載の発明は、請求項１ないし４のいずれかに記載の原稿読取装置において、前記規制手段には、前記読取ガラス板の表面との間をすくい上げ部材が通過し得る隙間を形成するための規制突起が前記搬送される原稿の最大幅より外側の位置に設けられているものである。
【発明の効果】
【００１２】
請求項１に記載の発明によれば、一対の原稿ガイド体には、原稿搬送経路の搬送方向に沿って規制手段の近傍まで延びる縁案内部材が取付られ、各縁案内部材には、規制手段と読取ガラス板における通過画像読取位置の表面との間を通過し、且つすくいガイド部材の表面上に対して少なくとも先端部が重複するようにすくい上げ部材が連設されている構成であるので、搬送される原稿はすくい上げ部材の上面につかえることがなく、搬送される原稿のすくい上げの作用が確実にできると共に、原稿が円滑に通過できるから耐久性を有する。そして、縁案内部材の先端部に小さいサイズのすくい上げ部材を連設するだけであるので、製造コストも低減できるという顕著な効果を奏する。
【００１３】
請求項２に記載の発明によれば、前記すくい上げ部材は、板厚さの薄い可撓性を有する金属部材にて形成されているものであるので、すくい上げ部材に乗った原稿により、当該すくい上げ部材が柔軟に撓み変位できるので、耐久性に優れたものとなる。
【００１４】
請求項３に記載の発明によれば、すくいガイド部材の前記搬送方向の上流側端縁は、前記一対のすくい上げ部材が位置する側では前記搬送方向の上流側に位置し、前記原稿の幅方向の中央寄りに行くに従って、前記搬送方向の下流側に位置するように、前記搬送方向と傾斜状にて交差するように形成されているものであるから、搬送される原稿の先端縁が一度にすくいガイド部材の上流側端縁に突き当たることがなく、円滑にすくいガイド部材の緩い傾斜面に乗ることができて、排紙トレイ部側に搬送できるのである。
【００１５】
請求項４に記載の発明によれば、各縁案内部材は、前記搬送される原稿の幅方向の側縁部分を表裏両側を案内するように断面コ字状に形成され、且つ前記原稿搬送経路に沿って湾曲可能に形成されているものであるので、原稿の幅方向の側縁部分が各縁案内部材から外れることがなく、ひいては前記一対のすくい上げ部材上に原稿の幅方向の側縁部分を確実に案内することができる。
【００１６】
請求項５に記載の発明によれば、前記規制手段には、前記読取ガラス板の表面との間をすくい上げ部材が通過し得る隙間を形成するための規制突起が前記搬送される原稿の最大幅より外側の位置に設けられているものであるので、搬送される原稿の先端縁が規制手段とつかえることなく、円滑に通過でき、画像読取の精度が悪化したり、不安定にならないという効果を奏する。
【発明を実施するための最良の形態】
【００１７】
以下、本発明の第１の実施の形態について、図面に基づいて説明する。図１は本発明の原稿読取装置の斜視図、図２（ａ）は原稿読取装置の下方から見た斜視図、図２（ｂ）は要部拡大斜視図、図３は蓋カバー体を開いた状態の斜視図、図４は原稿読取装置の一部切欠き側断面図、図５は原稿ガイド体、縁案内部材、ガラス板（原稿読取面）の斜視図、図６は図４の要部拡大断面図、図７はガラス板とすくいガイド部材とを示す斜視図、図８はすくいガイド部材の拡大斜視図である。
【００１８】
本発明の実施の形態は、ファクシミリ機能、スキャナ機能、複写機能及びプリンタ機能を備えた多機能装置（複合装置）のハウジング２の上に搭載した画像読取装置１に適用したものである。即ち、画像読取装置１は、ファクシミリ機能時に相手ファクシミリ装置に送信すべきファクシミリ原稿や、複写機能時に複写すべき原稿の画像を読取るものである。
【００１９】
図３〜図５に示すように、画像読取装置１の本体ケース３における上面には、原稿読取用の透明な大判の読取ガラス板４が水平状態で固定されている。本体ケース３の上面のうち後側縁には、蝶番６を介して上下回動可能に蓋状カバー体７が装着され、本発明の自動原稿搬送装置５が、蓋状カバー体７の上面一側に設けられている。自動原稿搬送装置５は、給紙トレイ部２０と、搬送ローラなどの原稿搬送手段２２が配置された側面視Ｕ字状の搬送経路２１と、原稿Ｐを読取ガラス板４における通過画像読取位置４ａの表面に接近させるようにする規制手段２３と、画像読取後の原稿Ｐが排出されて堆積される排紙トレイ部２４とを備えている。
【００２０】
スキャナ機能を実行するための画像読取装置１は、本体ケース３の上面に固定された読取ガラス板４の下面側に配置させた画像読取手段たる読取装置１０（例えば、ライン型の密着型イメージセンサ（ＣＩＳ：Contact Image Sensor）が図１及び図４のＸ軸方向に沿って往復移動可能に設けられている（図４参照）。なお、読取装置１０はライン型ＣＣＤ撮像素子であっても良い。
【００２１】
蓋状カバー体７の上面の一側には後に詳述する原稿搬送手段２２が配置されており、給紙トレイ部２０から供給された原稿Ｐを原稿搬送手段２２で搬送し、この原稿Ｐの画像を通過画像読取位置４ａ（図３、図４、図５及び図７で読取ガラス板４の左端部）の下面側で静止している読取装置１０によって読み取らせ、搬送する原稿Ｐは通過画像読取位置４ａの直後（搬送方向下流側）における読取ガラス板４に固定されたすくいガイド部材１１の箇所ですくいあげられた後、排紙トレイ部２４に排紙するように構成されている（図４参照）。
【００２２】
なお、本実施形態では、図３、図４、図５及び図７ですくいガイド部材１１の位置よりも読取ガラス板４の右側の大きい面積の部分は、大判のガラス板４上に伏せて置いた原稿の画像を読取るフラットベッド読取部となる。そのため、蓋状カバー体７の下面（図２及び図３参照）には、読取ガラス板４上に画像が記載された面を下向きにして原稿を押えるためのスポンジ及び白板等からなる押え体７ａを備えている。これにより、押え体７ａにて原稿を押えた状態で、画像読み取り指令により、画像読取装置１０が読取ガラス板４の下面に配置されたガイドレール（図示せず）に沿って移動しながら画像を読み取ることができる構成でもある。
【００２３】
給紙トレイ部２０から供給された原稿Ｐの片面を通過原稿読取位置４ａで読み取って排紙可能な搬送経路２１には、原稿搬送手段２２として搬送用の駆動ローラ２２ａ，２２ｂ，２２ｃ，２２ｄが適宜間隔をあけて複数配置され（図４参照）、これらの駆動ローラ２２ａ，２２ｂ，２２ｃ，２２ｄは図示しない駆動系により回転駆動するものである。なお、給紙トレイ部２０に１番近い位置の駆動ローラ２２ａは、図示しないが分離用の摩擦体と対面しており、給紙トレイ部２０に堆積された複数枚の原稿Ｐを１枚ずつに分離しながら順次搬送経路２１中に搬送する機能を有する。その他の各駆動ローラ２２ｂ，２２ｃ，２２ｄに対面するように図示しない従動ローラが配置されている。
【００２４】
次に、給紙トレイ部２０及び搬送経路２１の構成を詳細に説明する。蓋状カバー体７の一側には、自動原稿搬送装置５におけるケース部３１が固定されており、該ケース部３１の一端には、給紙トレイ部２０がその自由端を上方とし、ケース部３１への取り付け位置が低い高さとなるように傾斜状に配置され、原稿Ｐは画像が書かれた面を上にして堆積積層される。一方、給紙トレイ部２０の下方の蓋状カバー体７の上面に排紙トレイ部２４が形成されている（図１及び図４参照）。
【００２５】
図４に示すように、搬送経路２１は給紙トレイ部２０に連設された側面視横向き略Ｕ字状の内側経路板２１ａとこの内側経路板２１ａの外径側に所定の隙間を隔てて配置される外側経路板２１ｂとからなる。内側経路板２１ａはケース部３１内に一体的に形成されている。外側経路板２１ｂはケース部３１の上側を覆う回動カバー体３２の内面側に一体的に形成されている。回動カバー体３２の下端（基端）はケース部３１の側端部に対して枢軸部３３を中心にして回動可能に連結されている。そのため、回動カバー体３２を開放することによって、搬送経路２１の部位で紙詰まりした原稿Ｐを取り除けるだけでなく、紙詰まりによって通過原稿読取位置４ａで規制手段３の箇所で停止している原稿Ｐも取り除くことができるようになっている。
【００２６】
給紙トレイ部２０の上面には、堆積された原稿Ｐの搬送方向と平行な左右両側縁に当接して案内する一対の原稿ガイド体３４が原稿Ｐの横幅方向（搬送方向と直交する方向、図５及び図７でＹ軸方向）に移動可能に構成されている。即ち、断面がＬ字状に形成された左右一対の原稿ガイド体３４は、底板３４ａとそれから垂直に立設する側規制片３４ｂと、各底板３４ａから原稿Ｐの横幅方向に延びるラック片３５とからなる。各ラック片３５には、互いに対向するようにラック部３５ａが形成されている。この一対のラック部３５ａが給紙トレイ部２０に回転可能に設けられたピニオンギヤ３６（図４参照）に噛み合っている。これにより、一方の側規制片３４ｂを指で摘んで原稿Ｐの横幅方向（Ｙ軸方向）に移動させると、他方の側規制片３４ｂも同時に移動し、給紙トレイ部２０の上面に載置された原稿Ｐの横幅の中心に対して広狭自在となっている（図５参照）。
【００２７】
上記左右一対の原稿ガイド体３４には、各縁案内部材３７が各底板３４ａ部分から原稿搬送経路２１に沿って通過画像読取位置４ａまで延びるように一体的に形成されている。実施形態では、各縁案内部材３７は外側経路板２１ｂと内側経路板２１ａとの隙間に沿って延びるものであり、内側経路板２１ａに近い位置で沿う内径側片３７ａと、外側経路板２１ｂに近い位置で沿う外形側片３７ｂと、内径側片３７ａと外形側片３７ｂとを原稿搬送経路２１の横幅の外側より部位で連結する縦連結片３７ｃとが一体的に形成されて、断面コ字状に形成されているものである（図４及び図５参照）。実施形態では、各縁案内部材３７はポリエチレンテレフタレートなどの可撓性を有する合成樹脂材にて一体的に形成する。従って、各縁案内部材３７は、搬送される原稿の幅方向の側縁部分を表裏両側を案内するように、且つ原稿搬送経路２１に沿って湾曲可能となる。
【００２８】
各縁案内部材３７の先端部、より詳しくは、外形側片３７ｂの先端部には、細長いすくい上げ部材３９が規制手段２３と読取ガラス板４における通過画像読取位置４ａの表面との間を通過するように連設されている（図２〜図６参照）。すくい上げ部材３９の先端側（原稿の搬送方向下流側）は、すくいガイド部材１１の表面に乗るか、または上方に一部上方に重なるよう配置されている（図２〜図６参照）。このすくい上げ部材３９の基部は、実施形態では、外側経路板２１ｂの下面側（読取ガラス板４の上面と対面する側）に接着剤等にて固着されている。すくい上げ部材３９は、可撓性を有する金属部材にて形成され、実施形態では板厚さが０．３ｍｍ程度の薄いものである。
【００２９】
他方、すくいガイド部材１１は、図５〜図８に示すように、断面が実質状三角形を呈するように合成樹脂材にて構成されている。そして、すくいガイド部材１１はその鋭角状の上流側端縁１１ａの部位が原稿Ｐの搬送方向の上流側に位置するように、読取ガラス板４の上面に接着剤にて固定される。すくいガイド部材１１の上流側端縁１１ａは、一対のすくい上げ部材３９が位置する側では搬送方向の上流側に位置し、原稿Ｐの幅方向の中央寄りに行くに従って、搬送方向の下流側に位置するように、搬送方向と傾斜状にて交差するように形成されている。
【００３０】
上述の構成において、原稿Ｐの画像を読取るため、給紙トレイ部２０に画像が上面になるようにして原稿Ｐを堆積させる。次いで、原稿Ｐの横幅寸法に合わせて、左右一対の原稿ガイド体３４をＹ軸方向に沿って移動させる。この一対の原稿ガイド体３４に取りつけられた一対の縁案内部材３７は、原稿搬送経路２１における外側経路板２１ｂと内側経路板２１ａとの隙間に沿って延びるので、左右一対の原稿ガイド体３４移動に伴って、一対の縁案内部材３７もＹ軸方向（原稿Ｐの横幅方向）に沿って移動することになる。この場合、規制手段２３の下面には、読取ガラス板４の表面との間をすくい上げ部材３９が通過し得る隙間を形成するための一対の規制突起４０が搬送される原稿の最大幅より外側の位置に設けられている（図２参照）ので、一対の縁案内部材３７における外形側片３７ｂの先端部から延びるすくい上げ部材３９も、規制手段３に押えつけられることなく、Ｙ軸方向（原稿Ｐの横幅方向）に沿って円滑に移動できるのである。規制突起４０の高さを上記すくい上げ部材３９の厚さ（例えば、０．３ｍｍ）と同じか、若干大きい寸法、例えば、０．３ｍｍ〜０．４ｍｍ程度に設定すれば良い。
【００３１】
図示しない読取指令スイッチなどを押す等して、原稿読取を実行すると、給紙トレイ部２０に堆積させた原稿Ｐは１枚ずつに分離されて、原稿搬送経路２１中へ搬送される。そのとき、当該原稿Ｐの左右両側縁は、一対の縁案内部材３７に案内されるので斜行しない。そして、搬送されている原稿Ｐの先端部が通過画像読取位置４ａの表面に当接しながら、読取ガラス板４の下面側の読取装置１０にて画像の読取が実行される。搬送されている原稿Ｐの先端部のうち左右両側縁部分は上記一対のすくい上げ部材３９に既に乗っているので、すくいガイド部材１１の上流側端縁１１ａにつかえることなく、円滑にすくいガイド部材１１の傾斜状の上面に乗ることができる。
【００３２】
上記のように、本発明では、一対の原稿ガイド体３４には、原稿搬送経路２１の搬送方向に沿って規制手段２３の近傍まで延びる縁案内部材３７が取付られ、各縁案内部材３７には、規制手段２３と読取ガラス板４における通過画像読取位置４ａの表面との間を通過し、且つすくいガイド部材１１の表面上に対して少なくとも先端部が重複するようにすくい上げ部材３９が連設されている構成であるので、すくい上げ部材３９の上面をつかえることなく、搬送される原稿Ｐのすくい上げの作用が確実にできる。また、本構成では、読取ガラス板４を大判のガラス板と端ガラス板の２つに分断する必要がなく、読取ガラス板４は高い強度を有する。そして、縁案内部材３７の先端部に小さいサイズのすくい上げ部材３９を連設するだけであるので、製造コストも低減できる。
【００３３】
すくいガイド部材１１の上流側端縁１１ａは、一対のすくい上げ部材３９が位置する側では搬送方向（Ｘ軸方向）の上流側に位置し、原稿Ｐの幅方向の中央寄りに行くに従って、搬送方向の下流側に位置するように、搬送方向と傾斜状にて交差するように形成されているので、搬送される原稿Ｐの先端縁が一度に上流側端縁１１ａに突き当たることがなく、円滑にすくいガイド部材１１の緩い傾斜面に乗り、排紙トレイ部２４側に搬送できるのである。
【図面の簡単な説明】
【００３４】
【図１】本発明の原稿読取装置の斜視図である。
【図２】（ａ）は原稿読取装置の下方から見た斜視図、（ｂ）は要部拡大斜視図である。
【図３】蓋カバー体を開いた状態の斜視図である。
【図４】原稿読取装置の一部切欠き側断面図である。
【図５】原稿ガイド体、縁案内部材、ガラス板（原稿読取面）の斜視図である。
【図６】図４の要部拡大断面図である。
【図７】読取ガラス板とすくいガイド部材とを示す斜視図である。
【図８】すくいガイド部材の拡大斜視図である。
【符号の説明】
【００３５】
１画像読取装置
３本体ケース
４読取ガラス板
４ａ通過画像読取位置
５自動原稿搬送装置
７蓋状カバー体
７ａ押え体
１０読取装置
１１すくいガイド部材
２０給紙トレイ部
２１原稿搬送経路
２１ａ内側経路板
２１ｂ外側経路板
２２原稿搬送手段
２３規制手段
２４排紙トレイ部
３７縁案内部材
３７ａ内側片
３７ｂ外側片
３９すくい上げ部材
４０規制突起
【図１】
2007223687.tif 000003
【図２】
2007223687.tif 000004
【図３】
2007223687.tif 000005
【図４】
2007223687.tif 000006
【図５】
2007223687.tif 000007
【図６】
2007223687.tif 000008
【図７】
2007223687.tif 000009
【図８】
2007223687.tif 000010